(57)【要約】【課題】  駆動体の回転は連続的に保ちながら間欠的な回転運動を可能とする回転構造体を提供する。【解決手段】  連続的に回転する第１カム２３は、回転軸２４に固定されたプレート２５と、プレート２５の上面であって回転軸２４に対して対向する位置に設置された一対の円弧状突起部２６ａ，円弧状突起部２６ｂと、円弧状突起部２６の各々の方向とは直交する方向において設置された一対のピン２７ａ，ピン２７ｂとを含む。第２カム３１は、主軸３２に固定されたプレート３６よりなり、プレート３６の外周縁には円弧状突起部２６の各々に係合する第１外周縁３９と、第１外周縁３９の各々の間から主軸３２の方向に形成され、ピン２７の各々に係合する複数の切欠き３７とから構成されている。これによって、第２カムは間欠的に回転し、回転カバー１３の広告効果を高める。【選択図】      図２
2006053368.tif 000002
【特許請求の範囲】
【請求項１】
間欠的に回転する回転表示器の回転構造体であって、
連続的に回転する回転軸と、
間欠的に回転する主軸と、
前記回転軸と前記主軸との間に設置され、回転運動を間欠的な回転運動に変換する変換手段とを備えた、回転構造体。
【請求項２】
前記変換手段は、
前記回転軸に取り付けられて回転する第１カムと、
前記主軸に取り付けられ、前記第１カムに係合して間欠的に回転する第２カムとを含む、請求項１記載の回転構造体。
【請求項３】
前記第１カムは、
前記回転軸に固定された円盤状の第１プレートと、
前記第１プレートの一方面であって、前記回転軸に対して対向する対称位置に突出するように設置された所定の半径を有する一対の円弧状突起部と、
前記一方面であって、前記円弧状突起部の対向方向に対して直交する方向において前記回転軸に対して対向する対称位置に突出するように設置され、前記回転軸から前記所定の半径より大きな半径位置に設置された一対のピンとを含み、
前記第２カムは、
前記主軸に固定された円盤状の第２プレートを含み、
前記第２プレートの外周縁は、所定間隔に設置され前記第１カムの回転時に前記円弧状突起部の各々の外縁に接するように係合する第１外周縁と、前記第１外周縁の間の各々の第２外周縁から前記主軸の方向に形成され、前記第１カムの回転につれて、前記ピンの各々に係合する複数の切欠きとからなる、請求項２記載の回転構造体。
【請求項４】
前記第１外周縁及び前記切欠きは各々４箇所形成される、請求項３記載の回転構造体。
【請求項５】
前記第１外周縁及び前記切欠きは各々３箇所形成される、請求項３記載の回転構造体。
【請求項６】
請求項５記載の回転構造体を用いた回転表示器であって、
各々が同一の３角柱形状を有し、各々の軸方向が平行となるようにして隣接した状態で回転自在に設置された回転体と、
前記回転体の各々が同期して回転すると共に、前記回転体の各々の１つの側面が整列するように前記回転構造体に接続する回転接続手段とを備えた、回転表示器。
【発明の詳細な説明】
【技術分野】
【０００１】
この発明は回転構造体及びこれを用いた回転表示器に関し、特に広告用のディスプレイやターンテーブル等に用いられる回転構造体及びこれを用いた回転表示器に関するものである。
【背景技術】
【０００２】
従来、複数の異なった情報や製品を表示したり、展示したりするための間欠的な回転運動をする回転表示器が用いられている。
【０００３】
この回転表示器は、回転・停止を繰り返すように回転が間欠的に制御されているため、連続的に回転を続けるものに対して広告物や展示物等が見易くなるので広告効果が高められる。
【発明の開示】
【発明が解決しようとする課題】
【０００４】
上記のような回転表示器では、間欠的な制御としてモーター等の駆動体の回転をオン・オフするように制御するのが一般的である。そのため、制御回路を別途準備する必要がありコスト的に不利となると共に、回転表示器に制御回路の設置スペースを設ける必要があり、コンパクトな回転表示器にはならない。又、モーターが常にオン・オフを繰り返すため消費電力が大きくなってしまうと共にモーターの耐久性が低下する虞もある。
【０００５】
この発明は上記のような課題を解決するためになされたもので、駆動体の回転は連続的に保ちながら間欠的な回転運動を可能とする回転構造体及びこれを用いた回転表示器を提供することを目的とする。
【課題を解決するための手段】
【０００６】
上記の目的を達成するために、請求項１記載の発明は、間欠的に回転する回転表示器の回転構造体であって、連続的に回転する回転軸と、間欠的に回転する主軸と、回転軸と主軸との間に設置され、回転運動を間欠的な回転運動に変換する変換手段とを備えたものである。
【０００７】
この様に構成すると、連続した回転運動が間欠的な回転運動に変換される。
【０００８】
請求項２記載の発明は、請求項１記載の発明の構成において、変換手段は回転軸に取り付けられて回転する第１カムと、主軸に取り付けられ、第１カムに係合して間欠的に回転する第２カムとを含むものである。
【０００９】
この様に構成すると、第１カムと第２カムとの係合状態によって回転運動が変換される。
【００１０】
請求項３記載の発明は、請求項２記載の発明の構成において、第１カムは、回転軸に固定された円盤状の第１プレートと、第１プレートの一方面であって、回転軸に対して対向する対称位置に突出するように設置された所定の半径を有する一対の円弧状突起部と、一方面であって、円弧状突起部の対向方向に対して直交する方向において回転軸に対して対向する対称位置に突出するように設置され、回転軸から所定の半径より大きな半径位置に設置された一対のピンとを含み、第２カムは、主軸に固定された円盤状の第２プレートを含み、第２プレートの外周縁は、所定間隔に配置され、第１カムの回転時に円弧状突起部の各々の外縁に接するように係合する複数の第１外周縁と、第１外周縁の間の各々の外周縁から主軸の方向に形成され、第１カムの回転につれ、ピンの各々に係合する複数の切欠きとからなるものである。
【００１１】
この様に構成すると、円弧状突起部と第１外周縁とが係合している時は、第２カムは回転せず、ピンと切欠きとが係合している時は第２カムが回転する。
【００１２】
請求項４記載の発明は、請求項３記載の発明の構成において、第１外周縁及び切欠きは各々４箇所形成されるものである。
【００１３】
この様に構成すると、回転軸が２回転するごとに主軸は４回の間欠的な回転運動によって１回転する。
【００１４】
請求項５記載の発明は、請求項３記載の発明の構成において、第１外周縁及び切欠きは各々３箇所形成されるものである。
【００１５】
この様に構成すると、回転軸は１回転半回転するごとに主軸は３回の間欠的な回転運動によって１回転する。
【００１６】
請求項６記載の発明は、請求項５記載の回転構造体を用いた回転表示器であって、各々が同一の３角柱形状を有し、各々の軸方向が平行となるようにして隣接した状態で回転自在に設置された回転体と、回転体の各々が同期して回転すると共に回転体の各々の１つの側面が整列するように回転構造体に接続する回転接続手段とを備えたものである。
【００１７】
この様に構成すると、回転体の各側面が整列した状態で間欠的に回転する。
【発明の効果】
【００１８】
以上説明したように、請求項１記載の発明は、連続した回転運動が間欠的な回転運動に変換されるため、回転軸の回転をオン・オフするような制御をする必要がない。そのため、制御用のコストが低減すると共に回転構造体の信頼性が向上する。
【００１９】
請求項２記載の発明は、請求項１記載の発明の効果に加えて、第１カムと第２カムとの係合状態によって回転運動が変換されるため、所望の間欠的な回転運動を確実に得ることができる。
【００２０】
請求項３記載の発明は、請求項２記載の発明の効果に加えて、円弧状突起部と第１外周縁とが係合している時は第２カムは回転せず、ピンと切欠きとが係合している時は第２カムが回転するため、安定した間欠的な回転運動を得ることができる。
【００２１】
請求項４記載の発明は、請求項３記載の発明の効果に加えて、主軸は４回の間欠的な回転運動によって１回転するため、４つの異なった内容を見易く表示することが可能となる。
【００２２】
請求項５記載の発明は、請求項３記載の発明の効果に加えて、主軸は３回の間欠的な回転運動によって１回転するため、３つの異なった内容を見易く表示することが可能となる。
【００２３】
請求項６記載の発明は、請求項５記載の発明の効果に加えて、回転体の各側面が整列した状態で間欠的に回転するため、回転体の整列した面全体の各々に文字や模様等を形成しておくと、３つの面が順次間欠的に現れその状態で一時停止するので、広告効果等がより高まる回転表示器となる。
【発明を実施するための最良の形態】
【００２４】
図１はこの発明の第１の実施の形態による回転表示器の外観形状を示した斜視図であり、図２は図１の状態から回転カバーを取り外した状態を示した外観斜視図であり、図３は図１で示した回転表示器の平面図において回転カバーを部分的に破断した状態を示した図であり、図４は図１で示した回転表示器の正面図において回転カバーを部分的に破断した状態を示した図である。
【００２５】
これらの図を参照して、回転表示器１１は、大きくは回転構造体１６と回転構造体１６に対して着脱自在に取り付けられる回転カバー１３とから構成されている。回転カバー１３は円形の蓋形状を有しており、側壁面と上方面とから構成されている。側面には対向する４方向に表示文字１４が記載されている。図においては表示文字１４ａとして“Ａ”が、表示文字１４ｂとして“Ｂ”が示されているが、反対面にも同様に２つの表示文字が形成されている。又、回転カバー１３の上方面の下面には４角柱形状の突起部３４がその中心位置に形成されている。
【００２６】
一方、回転構造体１６は、ほぼ同一形状の円盤形状の上面板４１と底板４２とが所定間隔で平行に配置され、各々が３本の支柱４３によって連結されている。上面板４１の所定位置の下面にはモーター４５が取り付けられ、モーター４５の駆動軸１７は上面板４１を貫通して上方に伸び、その周囲に駆動歯車１８が取り付けられている。上面板４１の上面には駆動歯車１８に係合する第１歯車２０が回動自在に取り付けられ、又、第１歯車２０に係合する第２歯車２１が上面板４１上に回動自在に取り付けられている。更に第２歯車２１に係合する第３歯車５０が上面板４１上に回動自在に取り付けられている。尚、第１歯車２０、第２歯車２１及び第３歯車５０は、モーター４５による駆動軸１７の回転を減速して第１カム２３の回転運動として伝達するための減速器を構成する。第３歯車５０の回転軸２４は上方に伸び、これに第１カム２３の中心が固定されている。
【００２７】
又、上面板４１と底板４２との間には、モーター４５に対して電力を供給するための電池４６が配置され、その電力の供給をオン・オフするためのスイッチ４８が底板４２に取り付けられている。尚、底板４２の下面には３つの脚部４７が取り付けられ、回転構造体１６の設置状態の安定を図っている。
【００２８】
第１カム２３は、円盤形状のプレート２５と、プレート２５の上面であって、回転軸２４に対して対向する対称位置に突出するように設置され、所定の半径を有する一対の円弧状突起部２６ａ，円弧状突起部２６ｂと、プレート２５の上方面であって、円弧状突起部２６ａ，円弧状突起部２６ｂの対向方向に対して直交する方向において回転軸２４に対して対向する対称位置に突出するように設置され、回転軸２４から円弧状突起部２６ａ，円弧状突起部２６ｂの半径より大きな半径位置に設置された一対のピン２７ａ，ピン２７ｂとから構成されている。
【００２９】
一方、上面板４１の中心位置には主軸３２が回動自在に取り付けられ、主軸３２にはその外縁が略８角形状の第２カム３１が固定されている。第２カム３１は、主軸３２に固定された円盤状のプレート３６から構成されている。プレート３６の外周縁には、所定間隔で配置され、第１カム２３の回転時に円弧状突起部２６ａ，円弧状突起部２６ｂの各々の外縁に接するように係合する４箇所の第１外周縁３９と、第１外周縁３９の各々の間の第２外周縁３８から主軸３２の方向に形成され、第１カム２３の回転につれピン２７ａ，ピン２７ｂの各々に係合する４箇所の切欠き３７が形成されている。尚、第２カム３１のプレート３６は、その下面が第１カム２３のプレート２５の上面より僅かに高くなると共に、そのプレート３６の上面が円弧状突起部２６ａ，円弧状突起部２６ｂの上面より低くなるようにその取り付け高さが設定されている。尚、第１カム２３と第２カム３１との係合動作については後述する。
【００３０】
尚、主軸３２の中央に形成された４角柱形状の凹部３３は、回転カバー１３を回転構造体１６に対して上方から降下させた時、回転カバー１３の突起部３４に嵌合するように構成されている。そして、この嵌合状態において、主軸３２の回転と共に回転カバー１３が回転構造体１６の周りを回転するように、回転カバー１３と回転構造体１６の大きさが設定されている。
【００３１】
回転表示器１１は以上のように構成されており、次に使用時の動作について簡単に説明する。
【００３２】
使用に際しては、上述のように回転カバー１３をその突起部３４が主軸３２の凹部３３に嵌合するように上方から設置する。この状態でスイッチ４８をオンとするとモーター４５に電池４６から電力が供給され、モーター４５の駆動軸１７は回転する。駆動軸１７の回転運動は第１歯車２０、第２歯車２１及び第３歯車５０によって所望の回転速度に減速されて、その回転は回転軸２４に伝達される。回転軸２４に伝達された回転運動は第１カム２３を所定の方向に連続的に回転させる。第１カム２３の回転運動は、後述するように第２カム３１に所望の間欠的な運動として伝達される。これによって主軸３２に連結されている回転カバー１３は突起部３４を中心として間欠的に回転することになる。
【００３３】
この実施の形態にあっては、後述するように回転カバー１３は４回の間欠運動によって１回転するように構成されている。従って、回転カバー１３の側面に形成されている表示文字１４の各々は、一定期間停止した状態と回転状態とが繰り返されるため、その読み取りが容易となり広告効果が向上する。
【００３４】
図５は図１から図４で示した回転表示器において第１カムと第２カムとの係合状態の変化の過程を示した図である。
【００３５】
図を参照して、まず第１カム２３のピン２７ａ，ピン２７ｂが上下に整列した状態を０度としてこれらの関係について説明する。まず第１カム２３については、上述のようにピン２７ａ，ピン２７ｂが回転軸２４に対して対向する対称位置に設置されている。一方第１カム２３の円弧状突起部２６ａ，円弧状突起部２６ｂは、ピン２７ａ，ピン２７ｂの対向方向に対して直交する方向において回転軸２４に対して対向する対称位置に設置されている。そしてピン２７の各々の回転軸２４からの距離は、円弧状突起部２６の各々の回転軸２４からの距離より大きくなるように設定されている。
【００３６】
一方、第２カム３１にあっては、円周方向に所定間隔で４つの第１外周縁３９ａ〜第１外周縁３９ｄが形成されている。この第１外周縁３９の各々は、その外縁が第１カム２３の回転時に円弧状突起部２６の各々の外縁に沿うような円弧形状に形成されている。
【００３７】
第２外周縁３９の各々の間の第２外周縁３８ａ〜第２外周縁３８ｄには、第１カム２３のピン２７の各々が第１カム２３の回転につれて係合できるような切欠き３７ａ〜切欠き３７ｄが主軸３２に向かって形成されている。第１カム２３が０度の状態にあっては、円弧状突起部２６の一方と第１外周縁３９の一方とが対向した位置となるように第２カム３１の位置が設定されている。
【００３８】
第１カム２３が時計方向回りに回転して３０度の位置に移動すると、円弧状突起部２６ａは第２カム３１の第２外周縁３９ａから徐々に離れるように移動する。しかしこの状態では、ピン２７ａは切欠き３７ｄに対して係合状態とはなっていない。従って、この状態にあっては、０度の状態と同じく第２カム３１は全く回転しない状態となる。即ち、図２で言えば回転カバー１３は停止状態となっている。
【００３９】
次に第１カム２３が６０度の状態まで回転すると、ピン２７ａは第２カム３１の切欠き３７ｄに係合する。従って、第１カム２３の回転に伴なうピン２７ａの移動に伴って第２カム３１は反時計方向回りに回転を始めることになる。これによって図２で言えば回転カバー１３が停止状態から回転を開始することになる。第１カム２３が更に９０度回転した状態となると、ピン２７ａと切欠き３７ｄとは横方向に整列した状態となる。この状態では第２カム３１は更に反時計方向回りに回転することになる。
【００４０】
第１カム２３が１２０度まで回転すると、ピン２７ａは切欠き３７ｄから遠離る方向に移動することになる。しかしこれらの係合状態はまだ残っているため、第２カム３１は反時計方向回りの回転を続けることになる。
【００４１】
第１カム２３が１５０度まで回転すると、ピン２７ａと切欠き３７ｄとの係合状態は解除される。そしてこれに代わって円弧状突起部２６ｂが第１外周縁３９ｄに沿うように回転することになる。従って、この状態にあっては、第２カム３１は回転を停止する。図２の状態で言えば回転カバー１３は所定量回転した状態で再び停止状態となることを意味する。
【００４２】
その後第１カム２３が更に３０度回転すると図５において０度の状態に戻ることになる。従って以後これらの動作が繰り返されることになる。尚、この実施の形態にあっては、第２カム３１には切欠き３７及び第１外周縁３９が４箇所形成されているため、第１カム２３が２回転するごとに第２カム３１は４回の間欠的な回転運動によって１回転することになる。
【００４３】
これによって回転カバー１３の側面に対向する位置に形成された表示文字１４をそれぞれ停止状態で示すことができるため、広告効果が向上する。
【００４４】
図６はこの発明の第２の実施の形態による回転表示器であって、その回転構造体に用いられる第１カムと第２カムとの係合状態を示した図である。尚、この実施の形態は、先の第１の実施の形態と比較して、第１カムと第２カムとの形状が異なるだけで他の構造等は同一である。
【００４５】
図を参照して、第１カム２３の形状は基本的には先の第１の実施の形態によるものと同一であるが、円弧状突起部２６ａ，円弧状突起部２６ｂの円周方向の長さが小さくなっている点が第１の実施の形態とは異なっている。
【００４６】
一方、第２カム３１は、切欠き３７及び第１外周縁３９が各々３箇所形成されている点が第１の実施の形態と異なっている。第１カム２３と第２カム３１との係合動作は基本的には第１の実施の形態によるものと同様である。しかしながら、切欠き３７及び第１外周縁３９が各々３箇所形成されているため、若干係合動作が異なる点がある。即ち、第１カム２３が０度の状態から３０度の状態まで回転した時、先の実施の形態とは異なり、ピン２７ａの回転方向に切欠き３７ｃが位置しないことになる。従って、ピン２７ａをスムーズに切欠き３７ｃに係合させるために、切欠き３７ｃのコーナー部４０が大きく丸みを帯びるように形成されている。これによってピン２７ａはコーナー部４０に当接し、第２カム３１は僅かに反時計方向回りに回転することによって、６０度の状態に示されているようにピン２７ａが切欠き３７ｃにスムーズに係合するように工夫されている。
【００４７】
以下同様の係合及び解除状態が繰り返されるが、この実施の形態にあっては、第１カム２３が１回転半回転するごとに第２カム３１は３回の間欠的な回転運動によって１回転することになる。
【００４８】
これによって図１で言えば、表示文字１４を回転カバー１３の側面に３箇所等間隔で形成しておけば、その広告効果が向上することになる。
【００４９】
図７はこの発明の第３の実施の形態による回転表示器の外観形状を示した概略斜視図であり、図８は図７で示したＶＩＩＩ−ＶＩＩＩラインの端面図である。
【００５０】
これらの図を参照して、回転表示器１１は各々が同一の３角柱形状を有し、各々の軸方向が平行となるようにして上下に隣接した状態で回転自在に設置された回転体５５ａ〜回転体５５ｆと、これらを収納し且つこれらの回転軸５６ａ〜回転軸５６ｆを両側において支持するために設けられた枠形状の外枠フレーム５３とから構成されている。
【００５１】
尚、回転軸５６ａ〜回転軸５６ｆは先の第２の実施の形態による回転表示器に用いられる回転構造体に接続され、各々がその周方向に間欠的に回転するように構成されている。具体的には、回転体５５ａ〜回転体５５ｆの各々が同期して回転すると共に、各々の回転体の１つの側面が外枠フレーム５３の表面側に整列するように１つの回転構造体に接続する図示しない回転接続手段が設けられている。そして回転体５５の各々の側面には各整列する面ごとに異なった模様が形成され、全体として「Ａ」と読める表示文字５８が形成されている。
【００５２】
使用時には回転体５５の各々は同時に間欠的に回転されるため、異なった３種類の表示文字５８を順次停止状態で視認させることが可能となる。回転体を更に増やし、かつその長さも長く構成して同様の回転構造体でその回転を制御することによって更に大きな広告表示も容易となり、且つ視認性の高い回転表示器となる。
【００５３】
尚、上記の各実施の形態では、表示文字等を間欠的な回転で表示する回転表示器を前提としているが、表示文字等に代えてターンテーブルの上に展示物を載置し、ターンテーブルを間欠的に回転させるように構成しても同様の効果を奏する。
【００５４】
又、上記の第３の実施の形態では、各回転体を上下方向に隣接するように配置しているが、これらを横方向に隣接するように配置しても同様の効果を奏する。
【００５５】
更に、上記の第３の実施の形態では、各回転体は１つの回転構造体に接続されているが、これに代えて回転体ごとに１つの回転構造体に接続するように構成し、これらの回転構造体同士を同期するように制御しても良い。
【００５６】
更に、上記の第１および第２の実施の形態では、第２カムには第１の外周縁が３箇所または４箇所形成されているが、表示内容に応じて５箇所以上であっても良い。
【図面の簡単な説明】
【００５７】
【図１】この発明の第１の実施の形態による回転表示器の外観形状を示した概略斜視図である。
【図２】図１に示した状態から回転カバーを取り外した状態を示した概略斜視図である。
【図３】図１で示した回転表示器の平面図であって、回転カバーの一部を破断した状態を示した図である。
【図４】図１で示した回転表示器の正面図であって、回転カバーの一部を破断した状態を示した図である。
【図５】図１で示した回転表示器に用いられる第１カムと第２カムとの係合状態の変化を示した図である。
【図６】この発明の第２の実施の形態による回転表示器に用いられる第１カムと第２カムとの係合状態の変化を示した図である。
【図７】この発明の第３の実施の形態による回転表示器の外観形状を示した概略斜視図である。
【図８】図７で示したＶＩＩＩ−ＶＩＩＩラインの端面図である。
【符号の説明】
【００５８】
１１…回転表示器
１６…回転構造体
１７…駆動軸
２３…第１カム
２４…回転軸
２５，３６…プレート
２６…円弧状突起部
２７…ピン
３１…第２カム
３２…主軸
３７…切欠き
３８…第１外周縁
３９…第２外周縁
５５…回転体
５６…回転軸
尚、各図中同一符号は同一又は相当部分を示す。
【図１】
2006053368.tif 000003
【図２】
2006053368.tif 000004
【図３】
2006053368.tif 000005
【図４】
2006053368.tif 000006
【図５】
2006053368.tif 000007
【図６】
2006053368.tif 000008
【図７】
2006053368.tif 000009
【図８】
2006053368.tif 000010